(57)【要約】  【課題】構造が簡単で廉価に製造でき、別体のラベルを簡単に取り付けできるけれども一度取り付けると抜け難く、出荷から店頭販売まで一貫して使用できる利便性と取扱性に優れた育苗用ポット（連結体を含む）を提供すること。  【解決手段】底壁と、該底壁の外周縁部から上方に向かって立ちあがり、外方に張出す顎部２１を備えた上端開口部２２にて終端する周壁２０とからなり、前記顎部に別体ラベル３０の脚部３２を保持するラベル挿し孔２４が形成された育苗用ポット１において、前記ラベル挿し孔２４の下方の周壁に、前記別体ラベル３０の脚部３２をさらに保持させるラベル保持部２５が形成されているところに構成特徴があり、ラベル保持部の近傍に前記上端開口部より下方に向けて縮径する二分割ないし四分割円錐形状をなす補強部が形設されているもの、生分解性を有する素材にて形成されているもの、および、育苗用ポットが縦横複数列に平行して同一平面内で分離可能に連結され全体としてトレー形状をなしているものを含む。  【選択図】  図７
2005087043.tif 000002
【特許請求の範囲】
【請求項１】
底壁と、該底壁の外周縁部から上方に向かって立ちあがり、外方に張出す顎部を備えた上端開口部にて終端する周壁とからなり、前記顎部に別体ラベルの脚部を保持するラベル挿し孔を有する育苗用ポットにおいて、
前記ラベル挿し孔の下方の周壁に、前記別体ラベルの脚部をさらに固定保持するラベル保持部が形成されていることを特徴とする育苗用ポット。
【請求項２】
前記育苗用ポットの四隅部に、前記上端開口部より下方に向けて縮径する略円錐形状をなす補強部が形設されていることを特徴とする請求項１に記載の育苗用ポット。
【請求項３】
前記補強部が前記ラベル挿し孔の両側に、前記上端開口部より下方に向けて縮径する略円錐形状をなす補強部が形設されていることを特徴とする請求項１に記載の育苗用ポット。
【請求項４】
前記ラベル挿し孔に別体ラベルを係止させて両者を略一体に取着せしめる舌状片が形成されていることを特徴とする請求項１〜３のいずれかに記載の育苗用ポット。
【請求項５】
前記育苗用ポットにおいて、
前記底壁に、前記周壁の下端部から前記底壁の中央部に至る内方向に張り出す複数の突条が形成されており、該突条の交叉位置に前記排水孔が形成されていることを特徴とする請求項１〜４のいずれかに記載の育苗用ポット。
【請求項６】
前記育苗用ポットにおいて、
前記底壁に、前記周壁の下端部から前記底壁の中央部に至る内方向に張り出す複数の突条が形成されており該突条が交叉しない位置に排水孔が形成されていることを特徴とする請求項１〜５のいずれかに記載の育苗用ポット。
【請求項７】
前記育苗用ポットが生分解性を有する素材にて形成されていることを特徴とする請求項１〜６のいずれかに記載の育苗用ポット。
【請求項８】
前記育苗用ポットが、縦横複数列に平行して同一平面内で分離可能に連結され全体としてトレー形状をなしていることを特徴とする請求項１〜７のいずれかに記載の育苗用ポット。
【発明の詳細な説明】
【技術分野】
【０００１】
本発明は、構造が簡単で容易に製造でき、また、別体のラベルを簡単に取着できしかも簡単には取り外しできないラベル挿しポットに関するものである。
【背景技術】
【０００２】
従来、ポリエチレンまたはポリプロピレン等の軟質合成樹脂製のポットを使用して育苗した野菜や花卉等の植物苗をポットごと運搬したり、そのまま店頭にて展示販売する場合、一般的には、植物の名称や原産地、栽培方法、成長後の要部外観形状等の各情報を表示したラベルを添付している。
【０００３】
従来のラベルとしては、脚部を有する立札形状に形成されたものがあり、各ポット内の培土に脚部を直接挿し込むか、締結具（ホッチキス）を使用して脚部をポットの周壁に針止め固定していた。
【０００４】
また、単体の育苗ポットの上端開口部の鍔部を切り込んでなる切込み孔に、脚部に掛止部を設けた立札形状のラベルを挿し込み、当該切込み孔に前記掛止部を掛止するポットが開示されている（特許文献１、２）。
【０００５】
一方、野菜や花卉等の植物の育苗においては、ポリエチレンまたはポリプロピレン等の軟質合成樹脂製のポットが汎用されており、また、作業性等の観点から、単一育苗ポットの複数個を縦横に整列させて平面配置し互いに分離可能に連結したいわゆる連結ポットも開示されている。
【０００６】
従来の係る連結ポットとしては、育苗ポットの複数を縦横複数列に平行して同一平面内で全体としてトレー形状を為すように連結するための連結部に工夫を凝らし、取り扱いを容易にしたものが開示されている（特許文献３、４、５）。
【０００７】
【特許文献１】実公平７−３３６４０号公報
【特許文献２】実公平７−４６１２８号公報
【特許文献３】特許第３２４５５９０号公報
【特許文献４】特開２００１−８５５３号公報
【特許文献４】特許第２８９１９８７号公報
【発明の開示】
【発明が解決しようとする課題】
【０００８】
しかしながら、従来のポット内の培土にラベルの脚部を直接挿し込む方法は、脚部を挿し込む際に植物の根を傷め易く、また、ラベルを見易くするために大きくすると必然的に挿し込み深さが深くなり、なおさら根を傷め易くしかも作業に手間取るという問題や、搬送時や展示中にラベルが抜け易く、しかも、一度抜け落ちると植物苗が幼苗で例えば花の色などを正確に識別できないので、元のポットに正しく挿し戻せ難いなどの問題がある。
【０００９】
さらに、生産現場から搬送中にトラックの激しい振動や、積み降ろし時の強い衝撃を受けると、ポットからはずれて植物苗を傷つけるトラブルが発生し易く、そして、このようなトラブルが生じると、出荷先は傷付いた苗だけでなく例えばトレー全体を引き取ることになる場合が多く、出荷元にとっては大きな損失となっていた。
【００１０】
一方、締結具（ホッチキスなど）を使用して針止め固定する方法は、ラベルの脚部を培土に挿し込むものではないので植物の根を傷め難く、また、簡単には脱落しないなどの利点を有するものの、ポットにラベルを針止め固定する作業が誠に面倒であり作業に手間取るという問題がある。さらに、ポットから植物苗を取り出して花壇や家庭農園などの定植すると同時にラベルを取り外してその近傍に挿し込んでおくことが一般的であるが、ラベルをきれいに取り外し難く時には破れて使いものにならなくなるなどの不具合があった。
【００１１】
本発明は、上記の問題に鑑みてなされたものであり、その目的とするところは、構造が簡単で廉価に製造でき、別体のラベルを簡単に取着することができる一方、簡単には取り外しできない育苗用ポットを提供せんとするものである。
【課題を解決するための手段】
【００１２】
上記課題を解決するために本発明が採用した手段は、請求項１の発明では、底壁と、該底壁の外周縁部から上方に向かって立ちあがり、外方に張出す顎部を備えた上端開口部にて終端する周壁とからなり、前記顎部に別体ラベルの脚部を保持するラベル挿し孔が形成された育苗用ポットにおいて、前記ラベル挿し孔の下方の周壁に、前記別体ラベルの脚部をさらに保持するラベル保持部が形成されているところに特徴がある。
【００１３】
請求項２の発明では、請求項１に記載の育苗用ポットにおいて、該育苗用ポットの四隅部に、前記上端開口部より下方に向けて縮径する略円錐形状をなす補強部が形設されているところに特徴がある。
【００１４】
請求項３の発明では、請求項１に記載の育苗用ポットにおいて、該ラベル挿し孔の両側に、前記上端開口部より下方に向けて縮径する略円錐形状をなす補強部が形設されているところに特徴がある。
【００１５】
請求項４の発明では、請求項１〜３のいずれかに記載の育苗用ポットにおいて、前記ラベル挿し孔に別体ラベルを係止させて両者を略一体に取着せしめる舌状片が形成されているところに特徴がある。
【００１６】
請求項５の発明では、請求項１〜４のいずれかに記載の育苗用ポットにおいて、前記底壁に、前記周壁の下端部から前記底壁の中央部に至る内方向に張り出す複数の突条が形成されており、該突条の交叉位置に前記排水孔が形成されているところに特徴がある。
【００１７】
請求項６の発明では、請求項１〜５のいずれかに記載の育苗用ポットにおいて、前記底壁に、前記周壁の下端部から前記底壁の中央部に至る内方向に張り出す複数の突条が形成されており該突条が交叉しない位置に排水孔が形成されているところに特徴がある。
【００１８】
請求項７の発明では、請求項１〜６のいずれかに記載の育苗用ポットにおいて、前記育苗用ポットが生分解性を有する素材にて形成されているところに特徴がある。
【００１９】
請求項8の発明では、請求項１〜7のいずれかに記載の育苗用ポットにおいて、前記育苗用ポットが、縦横複数列に平行して同一平面内で分離可能に連結され全体としてトレー形状をなしているところに特徴がある。
【発明の効果】
【００２０】
本発明によるとつぎに述べる格別顕著な作用効果が得られる。
まず、本発明となる育苗用ポット単体は、構造が簡単であるから、合成樹脂シート材を例えば真空成形、真空圧空成形することで、特殊な機械を設備しなくても簡単に製造でき、例えばかごトレーなどの収容容器内でも安定に自立させることができる。
【００２１】
つぎに、ラベルを見易くするために従来より大きくして、陳列展示用途に適するものとすることができ、さらに、ラベルを大きくしても従来のように、ポット内の培土に脚部を直接挿し込むものではなくまた、締結具（ホッチキス）を使用して針止め固定するものでもないために、植物の根を傷めることなくラベルを取り付けできる。すなわち、ポットにラベルを針止め固定する作業が不要となり、出荷時のラベル付け作業性の向上が図れる。
【００２２】
つぎに、生産現場から搬送中に、トラックの激しい振動や、積み降ろし時の強い衝撃を受けても、ポットからはずれ難く、植物苗を傷つけるなどのトラブルが発生しない。すなわち、出荷元で一度ラベルを取着するだけで、出荷、搬送、店頭展示まで一貫使用でき（利便性に優れ）るため、利便性と使い勝手に優れ、さらに、生産者、販売者及び購入者の誤認や取違えを防止できる。
【００２３】
また、別体ラベルの脚部を、顎部に設けたラベル挿し孔と、周壁に設けたラベル保持部の両方に嵌め込みすることで別体ラベルを簡単に取着することができ、当該ポットから簡単には引き抜けずかつそれ以上挿し込めないように取り付けできる。さらに、ラベルが回転して横を向くことがなくまた展示中に抜け落ちし難い。すなわち、複数のポットを、ラベルの向きを揃えて店頭に並べるときことができるために見栄えが良く商品価値が向上する。
【００２４】
さらにまた、例えばかごトレーなどの収容容器内で安定に自立させることができ、市販のラベル挿しポットのように転倒して植物苗を傷つけたり、、商品価値を損なうことがなく、さらに、ラベルを挿し替えてレジを通過する等の不正行為を防止することができるし、育苗用ポットから別体ラベルの脚部を慎重に抜き取ればきれいに取外しできるため、定植した植物苗の近傍付近に確実に挿し込み固定できる。
【００２５】
特に、請求項２または３の発明では、前記ラベル挿し孔の近傍に補強部が形設されているので、育苗用ポットが薄肉に形成されていても、その強度アップが図れ、ラベル装着時などでも十分な安定性が確保できるなど効果的な補強が行われる。
【００２６】
請求項４の発明では、上記各作用に加えて、ラベル挿し部に舌状部分が形成されているので、別体ラベルに設けた切込み孔に嵌め込みできかつ、舌状部分の応力にてラベルの部を押圧させることができる。すなわち、取着したラベルを当該ポットから簡単には引き抜けずかつ、それ以上差し込めないように取り付けできるだくでなく、ラベルの脚部を慎重に抜き取ればきれいに取り外しでき移植位置の近傍に挿し込みできる（再使用できる）。
【００２７】
請求項５の発明では、周壁の下端部から底壁の中央部に至る内方向に張り出す突条が形成されており、該突条の交叉位置に排水孔が形成されているので、底面上に灌水を貯水することができ、例えば水不足による枯死を防止でき、請求項６の発明では、周壁の下端部から底壁の中央部に至る内方向に張り出す突条と該突条に交叉しない排水孔とが形成されているので、水はけが良好で、灌水過剰による根腐されが生じ難い。
【００２８】
請求項７の発明では、当該育苗用ポットが生分解性の素材にて製造されているため、従来の石油系プラスチック製品とは異なり、不要品となったときに埋め立て処分しても生分解させることができてこれを資化できから、環境問題解決の一助になる。
【００２９】
請求項８の発明では、育苗用ポット単体が縦横複数列に平行して同一平面内で全体としてトレー形状をなし互いに分離可能に連結させてあるため、必要な個数を一回でアンダートレーや籠トレーなどに収容セットでき、単体ポット１鉢ずつを並べてセットしていた従来に比べ、数十倍の高能率で作業できる。また、連結部を引き裂くと、育苗用ポット単体に簡単に分離できる。
【００３０】
なお、本発明の育苗用ポット単体の側壁に複数の上下方向リブを形成しておくと、ポットの変形や座屈防止ができ、かつ、育苗用ポット内面に到達した植物根がポットの内面に沿って伸長して根巻き現象を生じることがなく、また、ポットの内面に到達した植物根がポットの内面に沿って伸長し根巻き現象を生じることがない。すなわち、根巻き現象によってポット内の根は細根が少なくなるため、根の生育不良や分根不良が生じ、植物苗の育成も優れずまた、移植時に根付け不良を生じ難く、移植時に細根を切断する必要がなく、移植作業効率が向上するから、好適である。
【発明を実施するための最良の形態】
【００３１】
本発明の実施の形態を説明するがその代表例に過ぎず、様々に設計変更可能である。
【００３２】
本発明の育苗用ポット単体１は、薄肉な合成樹脂シート素材を真空成形や圧空成形、真空圧空成形法などにて型成型して、単体の育苗用ポット複数個を縦横方向に連接せしめた原型シート材を成形し、ついで、原型のシート材複数を積層した後に、例えばトムソン刃のような抜き刃金型を使用して打ち抜き、個々の育苗用ポット単体に切り離しするとともに、底壁に排水孔を穿設することで簡単に製造できる。
【００３３】
なお、原型のシート材を例えばトムソン刃のような抜き刃金型を使用して、互いに隣接する育苗用ポット間を僅かな幅にて容易に分離できるように連結させると、請求項８の発明に係る連結育苗用ポットが作製できる。ただし、育苗用ポット単体１の複数を縦横複数列に平行して同一平面内で全体としてトレー形状をなすように配設し、互いに分離可能に後付け連結させても、請求項８の発明に係る連結育苗用ポットが作製できる。
【００３４】
本発明の育苗用ポット単体１は、排水孔１１を有する底壁１０と、該底壁１０の外周縁部から上方に向かって立ちあがり、外方に張出す顎部２１を有する上端開口部２２にて終端する周壁２０とからなり、前記顎部２１に別体ラベル３０の脚部３２を保持するラベル挿し孔２４が形成されており、かつ、前記ラベル挿し孔２４下方の周壁２０には前記別体ラベル３０の脚部３２をさらに保持させるラベル保持部２５が形成されている。
【００３５】
また、育苗用ポット単体１の四隅部には上端開口部２２より下方に向けて縮径する四分割円錐形状をなす補強部２８が形設されており（例えば図２（ａ）参照）、両者に別体ラベル３０の脚部３２を係止させて、育苗用ポット１に別体ラベル３０を略一体に取着せしめるようになっている。なお、補強部２８の形成位置を限定するものではなく、例えばラベル挿し孔２４の両側に補強部２８’を形成することができ（図４参照）、これらにより、各育苗用ポット１、１’の座屈、変形防止できる。
【００３６】
この育苗用ポット単体１は、周壁２０の横断面がほぼ正方形に形成されているが、その外観形状はこれに限定されるものではない。例えば、底壁（底面）１０が円形、上端開口部２２がほぼ正方形で、その間の周壁２０は、円形の底壁の周縁から若干立ち上がった直後からほぼ正方形をなすものであっても良いし、円形の底壁１０の周縁から若干立ち上がった部分まで円形でそこから上端開口部２２までほぼ正方形をなすものであっても構わない。
【００３７】
上端開口部２２を構成する顎部２１のラベル挿し孔２４は、周壁上端と平行な一文字形状に形成されているが、その全体形状を限定するものではなく、例えば幅狭な略Ｖ字形状のスリット孔（図５(ａ）参照）、ジグザグないし正弦波形状に切り込んだ切り込み孔（図５(ｂ）参照）、あるいは、周壁上端と平行に切り込んだ第１切込み部分と、該第１切込み部の両端に連続して外方に向かうにつれて幅狭となる第２切込み部分とからなる全体形状が略コ形状の切り込み（図示しない）など、適宜自在に設計変更できるものとする。なお、ラベル挿し孔が例えば略Ｖ字形状に切り込んだものである（図５（ａ））と、その中央のＶ字状部分が後述する別体ラベル３０ｃの脚部中央付近を押圧するために当該ラベルをより安定保持できるから好適である。
【００３８】
ラベル保持部２５は、ラベル挿し孔２４に取付けされたラベルの脚部をさらに固定してこれを安定保持するためのものであり、上部切込み２５ａと下部切込み２５ｂを具備し、周壁の一部として各ラベル保持部２５下方に一体形成されている。なお、ラベルの脚部先端部分をポット内にのみ配する場合には（例えば図８参照）、あえて下部切込み２５ｂを形成する必要はない。
【００３９】
つぎに、育苗用ポット１には、周壁２０の下端部から底壁１０に亘って複数の縦リブ２３が形成されており、各育苗用ポットの変形防止および、伸長した植物根の根巻き防止を図るようになっている。
【００４０】
また、底壁１０にはポットの内方向に張り出す突条１２が十字形状に形成されており、その交叉位置（すなわち底壁１０の中央）に排水孔１１が穿設されており、ポットの底面上に灌水を貯水させて底面灌水機能を得るようになっている。なお、底壁１０の隅部４カ所に前記突条１２と交叉しない排水孔１１を穿設すると、水はけが良好となり灌水過剰による根腐されを防止できる。なお、突条の高さ、幅寸法等は適宜設計変更可能な事項であり、また、排水孔１１の寸法形状や数量、穿設位置などもまた、適宜設計変更可能な事項である。
【００４１】
つぎに、本発明に係わるラベル３０はポリエチレンシートを抜き成形加工して製造されたものであり、図６に示すように、ラベル３０は植物名、原産地、栽培方法等の情報を印刷表示した表示部３１と、脚部３２とからなる立札形状をなしている。ラベル３０脚部３２の両側には、上部係止爪３２ａと下部係止爪３２ｂがそれぞれ互いに対峙する位置に形成されており、上部係止爪３２ａを前記ラベル挿し孔に、下部係止爪３２ｂをラベル保持部２５の上部切込み２５ａまたは下部切込み２５ｂのいずれかに係止させる。したがって、別体ラベルを簡単には引き抜けずかつそれ以上挿し込めないようにでき、さらには、ラベルが回転して横を向くことがなくまた、展示中に抜け落ちし難くなるように取り付けできる。
【００４２】
本発明に係わるラベル３０としては、表面に印刷ができ全面が撥水性であることが好ましい。また、成型性やコスト、印刷易容性などの観点からはポリエチレン（ＰＥ）、ポリプロピレン（ＰＰ）、ポリスチレン（ＰＳ）、ＡＢＳ等の合成樹脂を素材として使用して製造されていることが好ましく、地球環境汚染防止の観点からは、ポリ乳酸やカプロラクトン等の脂肪族ポリエステル樹脂、古紙を含む植物繊維などの生分解性の素材を使用して製造されていることが好ましい。なお、ラベルの全体形状や寸法形状等を制限するものでもなく、適宜設計変更可能な事項であること無論である。
【実施例１】
【００４３】
図１（ａ）は実施例１の育苗用ポット１の斜視図であり、図２（ａ）は同育苗用ポット１の平面図、図２（ｂ）は同育苗用ポット１の正面図である。図３は図２（ａ）のＡ−Ａ線に沿った部分拡大図である。
【００４４】
図において、この育苗用ポット１はポリエチレン樹脂とポリプロピレン樹脂の混合樹脂製であり、排水孔１１を有する底壁１０と、該底壁１０の外周縁部から上方に向かって立ちあがり、外方に張出す顎部２１をその一部として含む上端開口部２２にて終端する周壁２０とからなり、前記顎部２１にはラベル挿し孔２４が４個所にそして、ラベル挿し孔２４下方の周壁２０のそれぞれには前記別体ラベル３０の脚部３２をさらに保持させるラベル保持部２５が形成されている。また、育苗用ポット１の四隅部には上端開口部２２より下方に向けて縮径する四分割円錐形状をなす補強部２８が形設されており、両者に別体ラベル３０の脚部３２を係止させて、育苗用ポット１に別体ラベル３０を略一体に取着せしめることで、育苗用ポットの座屈、変形防止するようになっている。
【００４５】
なお、この育苗用ポット１は、周壁２０の横断面がほぼ正方形に形成されているが、叙上の通り、その外観形状はこれに限定されるものではなく、例えば、底壁（底面）が円形、上端開口部がほぼ正方形で、その間の周壁２０は、円形の底壁の周縁から若干立ち上がった直後からほぼ正方形をなすものであっても良いし、円形の底壁の周縁から若干立ち上がった部分まで円形でそこから上端開口部までほぼ正方形をなすものであっても構わない。
【００４６】
ラベル挿し孔２４は、周壁の上端縁とほぼ平行な一文字状に切り込んだ切込み孔として構成されている。
【００４７】
ラベル保持部２５は、上部切込み２５ａと下部切込み２５ｂを具備し、周壁の一部として各ラベル保持部２５下方に一体形成されており、ラベル挿し孔２４に取付けされたラベルの脚部をさらに固定してこれを安定保持するようになっている。
【００４８】
育苗用ポット１の周壁２０には、下端部から底壁１０に亘って複数の縦リブ２３が形成されており、各育苗用ポットの変形防止および、伸長した植物根の根巻き防止を図るようになっている。
【００４９】
また、底壁１０にはポットの内方向に張り出す突条が十字形状に形成されており、その交叉位置（すなわち底壁１０の中央）に排水孔１１が穿設されており、ポットの底面上に灌水を貯水させて底面灌水機能を得るようになっている。なお、突条の高さ、幅寸法などおよび、排水孔１１の寸法形状などは等は適宜設計変更可能な事項である。
【００５０】
つぎに、実施例１の育苗用ポットに対して、別体ラベル３０はつぎのように取り付けされる。
【００５１】
ラベル３０の脚部３２をやや内方向に二つ折りするように屈曲させ、顎部に設けたラベル挿し孔２４を挿通させ、さらに挿し込んでラベル保持部２５の上部切込み２５ａと下部切込み２５ｂにも挿通させ（図７参照）、ラベル挿し孔２４、ラベル保持部２５の上部切込み２５ａあるいは下部切込み２５ｂに、ラベル３０の脚部３２に設けた上部係止爪３２ａまたは下部係止爪３２ｂか係止させる。
【００５２】
したがって、各育苗用ポットに、別体ラベルを簡単には引き抜けずかつそれ以上挿し込めないようにでき、さらには、ラベルが回転して横を向くことがなくまた展示中に抜け落ちし難くなるように取り付けできる。また、ラベル３０の脚部３２を注意深く慎重に抜き取ればこれをきれいに取り外しできるので、植物苗を移植した位置近傍に挿し込み、再使用することができる。
【００５３】
なお、ラベル挿し孔２４を挿通させたラベルの脚部を、ラベル保持部２５の上部切込み２５ａに挿通させてその先端部分をポット内に収容すると（図８参照）、ポットの周壁の外側にラベルの脚部が配されず、見栄え良く取付けでき店頭展示できるから好適である。
【実施例２】
【００５４】
図４は実施例２の育苗用ポット１’の平面図である。
【００５５】
図において、育苗用ポット１’は、ポリ乳酸系生分解樹脂製である点と、各ラベル保持部２５の両側に略二分割円錐形状をなす補強部２８’が形成されている点と、底壁１０の隅部４カ所に前記突条１２と交叉しない排水孔１１が穿設されておりこれにより、水はけが良好となり灌水過剰による根腐されを防止できるようになっている点を除き、他は構成は実施例１の育苗用ポット１と実質同一のものである。
【実施例３】
【００５６】
図９は、実施例３となる育苗用ポット５の要部拡大平面図である。
【００５７】
実施例３の育苗用ポット５は、実施例１の育苗用ポット１の複数が縦横複数列（４個＊６個）に平行して同一平面内で全体としてトレー形状をなし、隣接する育苗用ポット１の間が連結部６にて互いに分離可能に連結させたものである。したがって、この育苗用ポット５によると、実施例１の育苗用ポット１の作用効果に加えて、必要な個数を一回でアンダートレーや籠トレーなどに収容セットでき、単体ポット１鉢ずつを並べてセットしていた従来に比べ、数十倍の高能率で作業でき、しかも、連結部６を引き裂くと育苗用ポット単体に簡単に分離できる、という実効性に優れた作用効果が得られるのである。
【図面の簡単な説明】
【００５８】
【図１】図１（ａ）は実施例１となる育苗用ポットの斜視図である。
【図２】図２（ａ）は同育苗用ポットの平面図、図２（ｂ）は同育苗用ポットの正面図である。
【図３】図３は図２（ａ）のＡ−Ａ線に沿った部分拡大図である。
【図４】図４は補強部の他の形状を概略的に示す平面図である（実施例２）。
【図５】図５はラベル挿し孔の他の形状を概略的に示す要部正面図である。すなわち、図５(ａ）は幅狭な略Ｖ字形状のスリット孔であり、図５(ｂ）はラベル挿し孔がジグザグないし正弦波形状に切り込んだ切り込み孔であることを示す。
【図６】図６は本発明に係わるラベルの平面図である。
【図７】図７（ａ）は実施例１の育苗用ポットにラベルを取付けた状態を示す正面図であり、図７（ｂ）は同じく要部部分拡大断面図である。
【図８】図８（ａ）は実施例１の育苗用ポットにラベルを取付けた他の状態を示す正面図であり、図８（ｂ）は同じく要部部分拡大断面図である。
【図９】図９（ａ）は実施例３となる（連結）育苗用ポットの斜視図であり、図９（ｂ）は同（連結）育苗用ポットの要部拡大平面図ある。
【符号の説明】
【００５９】
１、１’  …  育苗用ポット
５        …  （連結）育苗用ポット
６        …  連結部
１０  …  底壁
１１  …  排水孔
１２  …  突条
２０  …  周壁
２１  …  顎部
２２  …  上端開口部
２３  …  縦リブ
２４  …  ラベル挿し孔
２４ａ…  ラベル挿し孔
２４ｂ…  ラベル挿し孔
２５  …  ラベル保持部
２５ａ…  上部切込み
２５ｂ…  下部切込み
２８  …  補強部
２８’…  補強部
３０  …  ラベル
３１  …  表示部
３２  …  脚部
３２ａ…  上部係止爪
３２ｂ…  下部係止爪
【図１】
2005087043.tif 000003
【図２】
2005087043.tif 000004
【図３】
2005087043.tif 000005
【図４】
2005087043.tif 000006
【図５】
2005087043.tif 000007
【図６】
2005087043.tif 000008
【図７】
2005087043.tif 000009
【図８】
2005087043.tif 000010
【図９】
2005087043.tif 000011